(57)【要約】【課題】解析対象のデータのデータ長が比較的長い場合でも、ユーザが所望するデータを容易に特定することができる信号解析装置及び信号解析方法を提供する。【解決手段】スペクトラムアナライザ１０は、入力した無線周波数のアナログ信号を所定の周波数に周波数変換するＲＦ処理部２０と、ＲＦ処理部２０が周波数変換したアナログ信号をサンプリングすることによりデジタル値のサンプリングデータに変換するＡＤＣ３１と、ＡＤＣ３１が変換したサンプリングデータを解析する信号解析部３３と、信号解析部３３が解析した解析結果のデータに基づいてリスト形式のデータを生成するリストデータ生成部３４と、を備える。【選択図】図１
2018004480.tif 000002
【特許請求の範囲】
【請求項１】
入力した無線周波数のアナログ信号を所定の周波数に周波数変換する周波数変換手段（２０）と、
前記周波数変換手段が周波数変換した前記アナログ信号をサンプリングすることによりデジタル値のサンプリングデータに変換するアナログデジタル変換手段（３１）と、
前記アナログデジタル変換手段が変換した前記サンプリングデータを解析するサンプリングデータ解析手段（３３）と、
前記サンプリングデータ解析手段が解析した解析結果のデータに基づいてリスト形式のデータを生成するリスト形式データ生成手段（３４）と、
を備え、
前記リスト形式データ生成手段は、前記アナログデジタル変換手段によるサンプリングのサンプリング時刻に基づいた時刻情報を含む前記リスト形式のデータを生成するものである、
ことを特徴とする信号解析装置。
【請求項２】
前記サンプリングデータ解析手段は、前記無線周波数のアナログ信号に関する無線通信方式、フレーム位置、周波数、電力及び変調精度のうちの少なくとも１つの項目を解析するものであり、
前記リスト形式データ生成手段は、前記サンプリングデータ解析手段が解析した前記少なくとも１つの項目の解析結果と前記時刻情報とを関連付けた前記リスト形式のデータを生成するものである、
ことを特徴とする請求項１に記載の信号解析装置。
【請求項３】
前記リスト形式のデータの中から所望のデータを検索するデータ検索手段（３４ａ）と、
前記データ検索手段が検索した検索結果のデータと、前記サンプリングデータの波形データとを関連付けて表示する検索結果表示手段（４０）と、
をさらに備えたことを特徴とする請求項１又は２に記載の信号解析装置。
【請求項４】
入力した無線周波数のアナログ信号を所定の周波数に周波数変換する周波数変換ステップ（Ｓ１１）と、
前記周波数変換ステップにおいて周波数変換された前記アナログ信号をサンプリングすることによりデジタル値のサンプリングデータに変換するアナログデジタル変換ステップ（Ｓ１２）と、
前記アナログデジタル変換ステップにおいて変換された前記サンプリングデータを解析するサンプリングデータ解析ステップ（Ｓ１３）と、
前記サンプリングデータ解析ステップにおいて解析された解析結果のデータに基づいてリスト形式のデータを生成するリスト形式データ生成ステップ（Ｓ１４）と、
を含み、
前記リスト形式データ生成ステップにおいて、前記アナログデジタル変換ステップでのサンプリングのサンプリング時刻に基づいた時刻情報を含む前記リスト形式のデータを生成することを特徴とする信号解析方法。
【発明の詳細な説明】
【技術分野】
【０００１】
本発明は、例えば、無線周波数の信号を解析する信号解析装置及び信号解析方法に関する。
【背景技術】
【０００２】
近年、無線通信の大容量化に伴い無線信号の複雑化や周波数リソースの高密度化が進んでいる。また、ＤＡコンバータの高速化に伴い１つの無線局から複数の無線通信方式に準拠した信号が出力可能となり、例えばＭＳＲ（Multi Standard Radio）が実用化されている。また、無線信号を解析する解析装置においても、ＡＤコンバータの高速化により、ＭＳＲや超広帯域のサンプリング、信号解析が可能となっている。
【０００３】
従来、無線信号を解析する装置としては、例えば特許文献１に開示された信号解析装置が知られている。特許文献１に開示された従来のものは、デジタルデータに変換された無線信号のデータを記憶する元データ記憶部と、この元データ記憶部に記憶されたデータのうち、所定の条件に当てはまるか否かを判定することにより、ユーザによって指定されたデータを抽出する指定データ抽出部と、抽出されたデータを解析する解析処理部と、を備えている。
【０００４】
この構成により、従来のものは、元データ記憶部に記憶されたデータを指定することにより、該当するデータを抽出して解析することができるようになっている。
【先行技術文献】
【特許文献】
【０００５】
【特許文献１】特開２０１５−１４３６４４号公報
【発明の概要】
【発明が解決しようとする課題】
【０００６】
しかしながら、従来のものでは、所定の条件に当てはまるか否かを判定することにより、ユーザによって指定されたデータを抽出するので、解析対象のデータのデータ長が長くなるに従って、ユーザが所望するデータを特定することが困難となるという課題があった。
【０００７】
本発明は、従来の課題を解決するためになされたものであり、解析対象のデータのデータ長が比較的長い場合でも、ユーザが所望するデータを容易に特定することができる信号解析装置及び信号解析方法を提供することを目的とする。
【課題を解決するための手段】
【０００８】
本発明の請求項１に係る信号解析装置は、入力した無線周波数のアナログ信号を所定の周波数に周波数変換する周波数変換手段（２０）と、前記周波数変換手段が周波数変換した前記アナログ信号をサンプリングすることによりデジタル値のサンプリングデータに変換するアナログデジタル変換手段（３１）と、前記アナログデジタル変換手段が変換した前記サンプリングデータを解析するサンプリングデータ解析手段（３３）と、前記サンプリングデータ解析手段が解析した解析結果のデータに基づいてリスト形式のデータを生成するリスト形式データ生成手段（３４）と、を備え、前記リスト形式データ生成手段は、前記アナログデジタル変換手段によるサンプリングのサンプリング時刻に基づいた時刻情報を含む前記リスト形式のデータを生成するものである構成を有している。
【０００９】
この構成により、本発明の請求項１に係る信号解析装置は、リスト形式データ生成手段は、時刻情報を含むリスト形式のデータを生成するので、時刻情報により解析対象のデータとリスト形式のデータとを関連付けることができる。
【００１０】
したがって、本発明の請求項１に係る信号解析装置は、時刻情報に基づいて、解析対象のデータのデータ長が比較的長い場合でも、ユーザが所望するデータを容易に特定することができる。
【００１１】
本発明の請求項２に係る信号解析装置は、前記サンプリングデータ解析手段は、前記無線周波数のアナログ信号に関する無線通信方式、フレーム位置、周波数、電力及び変調精度のうちの少なくとも１つの項目を解析するものであり、前記リスト形式データ生成手段は、前記サンプリングデータ解析手段が解析した前記少なくとも１つの項目の解析結果と前記時刻情報とを関連付けた前記リスト形式のデータを生成するものである構成を有している。
【００１２】
この構成により、本発明の請求項２に係る信号解析装置は、リスト形式データ生成手段は、サンプリングデータ解析手段が解析した解析結果と時刻情報とを関連付けたリスト形式のデータを生成するので、時刻情報に基づいて、解析対象のデータのデータ長が比較的長い場合でも、ユーザが所望するデータを容易に特定することができる。
【００１３】
本発明の請求項３に係る信号解析装置は、前記リスト形式のデータの中から所望のデータを検索するデータ検索手段（３４ａ）と、前記データ検索手段が検索した検索結果のデータと、前記サンプリングデータの波形データとを関連付けて表示する検索結果表示手段（４０）と、をさらに備えた構成を有している。
【００１４】
この構成により、本発明の請求項３に係る信号解析装置は、データ検索手段が検索した検索結果のデータと、サンプリングデータの波形データとを関連付けて表示するので、所望のデータを効率よく解析することができる。
【００１５】
本発明の請求項４に係る信号解析方法は、入力した無線周波数のアナログ信号を所定の周波数に周波数変換する周波数変換ステップ（Ｓ１１）と、前記周波数変換ステップにおいて周波数変換された前記アナログ信号をサンプリングすることによりデジタル値のサンプリングデータに変換するアナログデジタル変換ステップ（Ｓ１２）と、前記アナログデジタル変換ステップにおいて変換された前記サンプリングデータを解析するサンプリングデータ解析ステップ（Ｓ１３）と、前記サンプリングデータ解析ステップにおいて解析された解析結果のデータに基づいてリスト形式のデータを生成するリスト形式データ生成ステップ（Ｓ１４）と、を含み、前記リスト形式データ生成ステップにおいて、前記アナログデジタル変換ステップでのサンプリングのサンプリング時刻に基づいた時刻情報を含む前記リスト形式のデータを生成する構成を有している。
【００１６】
この構成により、本発明の請求項４に係る信号解析方法は、リスト形式データ生成ステップにおいて、サンプリング時刻に基づいた時刻情報を含むリスト形式のデータを生成するので、時刻情報により解析対象のデータとリスト形式のデータとを関連付けることができる。
【００１７】
したがって、本発明の請求項４に係る信号解析方法は、時刻情報に基づいて、解析対象のデータのデータ長が比較的長い場合でも、ユーザが所望するデータを容易に特定することができる。
【発明の効果】
【００１８】
本発明は、解析対象のデータのデータ長が比較的長い場合でも、ユーザが所望するデータを容易に特定することができるという効果を有する信号解析装置及び信号解析方法を提供することができるものである。
【図面の簡単な説明】
【００１９】
【図１】本発明に係る信号解析装置の一実施形態であるスペクトラムアナライザのブロック構成図である。
【図２】本発明に係る信号解析装置の一実施形態であるスペクトラムアナライザにおける波形データの説明図である。
【図３】本発明に係る信号解析装置の一実施形態であるスペクトラムアナライザにおいて、波形データ及び解析結果リストデータの一例を示す図である。
【図４】本発明に係る信号解析装置の一実施形態であるスペクトラムアナライザにおいて、リストデータＮｏ．７に該当するデータの位置を波形データ上に示した一例を示す図である。
【図５】本発明に係る信号解析装置の一実施形態であるスペクトラムアナライザにおいて、ＥＶＭ＞０．７となるリストデータの検索結果の一例を示す図である。
【図６】本発明に係る信号解析装置の一実施形態であるスペクトラムアナライザにおいて、ＥＶＭ＝１．８５を示すリストデータに対応する波形データでの位置を表示させた場合の一例を示す図である。
【図７】本発明に係る信号解析装置の一実施形態であるスペクトラムアナライザにおけるフローチャートである。
【発明を実施するための形態】
【００２０】
以下、本発明の実施形態について図面を用いて説明する。なお、本発明の信号解析装置をスペクトラムアナライザに適用した例を挙げて説明する。
【００２１】
まず、本発明の一実施形態におけるスペクトラムアナライザの構成について説明する。
【００２２】
図１に示すように、本実施形態におけるスペクトラムアナライザ１０は、ＲＦ（Radio Frequency）処理部２０、信号処理部３０、表示装置４０、操作部１１、制御部１２を備えている。スペクトラムアナライザ１０は、図示しないＣＰＵと、ＲＯＭと、ＲＡＭと、各種インタフェースが接続される入出力回路等を備えたマイクロコンピュータを含む。スペクトラムアナライザ１０は、ＲＯＭに予め格納された制御プログラムを実行させることにより、マイクロコンピュータを、ＲＦ処理部２０、信号処理部３０、表示装置４０、操作部１１、制御部１２として機能させるようになっている。このスペクトラムアナライザ１０は、信号解析装置の一例である。
【００２３】
ＲＦ処理部２０は、信号混合器２１、局部発振器２２、掃引制御部２３、フィルタ２４を備え、無線周波数のアナログ信号である被測定信号を入力し所定の周波数に周波数変換するものである。すなわち、ＲＦ処理部２０は、周波数変換手段の一例である。
【００２４】
なお、被測定信号としては、例えば、ＬＴＥ（Long Term Evolution）、Ｗ−ＣＤＭＡ（Wideband Code Division Multiple Access）、ＧＳＭ（登録商標）（Global System for Mobile Communications）、ＣＤＭＡ２０００（Code Division Multiple Access 2000）、無線ＬＡＮ通信システム、近距離無線通信システムＢｌｕｅｔｏｏｔｈ（登録商標）等の各無線通信方式に従った無線信号である。
【００２５】
信号混合器２１は、入力する被測定信号と局部発振器２２からの局部発振信号とを混合し、フィルタ２４に出力するようになっている。
【００２６】
局部発振器２２は、指定された周波数帯域で掃引可能な局部発振周波数を有する局部発振信号を発振し、その局部発振信号を信号混合器２１に出力するようになっている。
【００２７】
掃引制御部２３は、局部発振器２２に対して、操作部１１をユーザが操作することによって指定された基準周波数、掃引幅、取得サンプル数等に応じて局部発振信号の周波数を所定ステップで掃引させるようになっている。
【００２８】
フィルタ２４は、被測定信号と局部発振信号との差又は和の周波数成分のうち、例えば差の周波数成分を含む中間周波数信号を抽出するようになっている。
【００２９】
信号処理部３０は、ＡＤＣ（アナログデジタルコンバータ）３１、波形データ記憶部３２、信号解析部３３、リストデータ生成部３４、リストデータ記憶部３５を備え、制御部１２からの制御信号に基づいて動作するようになっている。
【００３０】
ＡＤＣ３１は、フィルタ２４が出力するアナログ値の中間周波数信号を所定のサンプリング時刻ごとにサンプリングすることによりデジタル値の信号に変換して波形データ記憶部３２に出力するようになっている。このＡＤＣ３１は、アナログデジタル変換手段の一例である。
【００３１】
波形データ記憶部３２は、ＡＤＣ３１によってサンプリングされた波形データを記憶するようになっている。このサンプリングされた波形データは、本発明に係るデジタル値のサンプリングデータに対応する。以下、波形データ記憶部３２が記憶する波形データについて図２を用いて説明する。
【００３２】
図２（ａ）は、横軸を周波数、縦軸を電力（レベル）として被測定信号に含まれる周波数帯（バンド）ｆａ、ｆｂ及びｆｃの信号成分の波形データを示している。これらの信号成分の波形データは、後述する表示部４２に表示可能である。
【００３３】
図２（ｂ）は、横軸を周波数、縦軸を時間として被測定信号に含まれる周波数帯ｆａ、ｆｂ及びｆｃの信号成分の波形データを示している。各信号成分の電力は時間とともに変動するので、制御部１２が、例えば図示のように電力の大きさに応じて、電力が比較的大きい所定範囲は赤色、電力が比較的小さい所定範囲は青色、両者の間の電力の範囲は黄色というように波形データを着色表示することができる。この場合、図２（ｂ）に示した波形データは、被測定信号を周波数、時間及び電力の３次元で表したスペクトラムとなる。本実施形態における波形データ記憶部３２は、図２（ｂ）に示した波形データを記憶するようになっている。なお、波形データは、被測定信号を周波数及び時間の２次元で表したものでもよい。
【００３４】
図１に戻り、信号解析部３３は、波形データ記憶部３２に記憶された波形データに対し、制御部１２からの制御信号に基づいて所定の解析を行うようになっている。例えば、信号解析部３３は、解析対象の波形データがＬＴＥのデータであった場合には、データの各フレームに含まれるサブフレームごとに、操作部１１により設定された測定項目、例えば周波数、電力、ＥＶＭ等を求めるものである。この信号解析部３３は、サンプリングデータ解析手段の一例である。
【００３５】
リストデータ生成部３４は、信号解析部３３によって解析された波形データの解析結果に基づいてリスト形式で表したデータ（以下「解析結果リストデータ」という）を生成するようになっている。このリストデータ生成部３４は、リスト形式データ生成手段の一例である。
【００３６】
また、リストデータ生成部３４は、解析結果リストデータの中から所望のデータを検索する検索部３４ａを有している。この検索部３４ａは、データ検索手段の一例である。
【００３７】
リストデータ記憶部３５は、リストデータ生成部３４によって生成された解析結果リストデータを記憶するようになっている。
【００３８】
表示装置４０は、表示制御部４１及び表示部４２を備えている。表示制御部４１は、表示部４２に表示する情報の表示制御を行うようになっている。表示部４２は、表示制御部４１の表示制御に基づいて所定の情報を表示するようになっている。なお、前述の検索部３４ａによって所望のデータが検索された場合には、表示装置４０は、後述するように、検索部３４ａが検索した検索結果のデータと、解析結果リストデータの波形データとを関連付けて表示することができる。すなわち、表示装置４０は、検索結果表示手段の一例である。
【００３９】
操作部１１は、被測定信号を解析する解析項目や解析条件、判定条件等を設定するためユーザが操作するものである。例えば、操作部１１は、各種条件を設定するための設定画面を表示するディスプレイや、キーボード、ダイヤル又はマウスのような入力デバイス、これらを制御する制御回路やソフトウェア等で構成され、各解析項目や解析条件の入力や、表示部４２の表示内容を設定するものである。
【００４０】
制御部１２は、操作部１１によって入力された各種情報をスペクトラムアナライザ１０の各部に設定するようになっている。
【００４１】
次に、リストデータ生成部３４によって生成される解析結果リストデータの一例について図３〜図６を用いて説明する。なお、図３〜図６に示した波形データにおいては、着色による電力の表示を省略している。
【００４２】
図３は、リストデータ生成部３４が、波形データ記憶部３２に記憶された波形データ５１と、リストデータ生成部３４によって生成された解析結果リストデータ５２とを表示部４２に表示させた状態を示している。
【００４３】
図３に示すように、解析結果リストデータ５２は、予め設定された項目ごとに解析結果のデータが含まれたリスト形式で示される。
【００４４】
「Ｎｏ．」項目は、解析結果リストデータ５２に含まれる各行方向のデータ（以下「リストデータ」という）の番号を示している。「Ｔｉｍｅ」項目は、時刻情報を示す項目であり、例えば、波形データ記憶部３２に記憶された波形データ５１の最初の時間的位置（時刻）をゼロとして、各データの時間的位置を示している。「Ｓｙｓｔｅｍ」項目は、無線通信方式を示している。「Ｌｏｃａｔｉｏｎ」項目は、フレーム番号（Ｆ）及びサブフレーム番号（ＳＦ）を示している。「Ｆｒｅｑｕｅｎｃｙ」項目は、周波数を示している。「Ｌｅｖｅｌ」項目は、電力を示している。「ＥＶＭ」項目は、ＥＶＭ（Error Vector Magnitude：変調精度）を示している。
【００４５】
図示のように、解析結果リストデータ５２は、信号解析部３３が解析した各項目の解析結果（無線通信方式、フレーム位置、周波数、電力及びＥＶＭ）と時刻情報（Ｔｉｍｅ）とを関連付けたリスト形式のデータである。なお、解析結果リストデータ５２は、各項目の解析結果の少なくとも１つと時刻情報とを関連付けたものでもよい。
【００４６】
図３において、例えば、リストの番号Ｎｏ．０のデータは、波形データ記憶部３２に記憶された波形データ５１の最初から０．３４１５ｍｓの位置から始まるデータであって、無線通信方式はＬＴＥ、フレーム番号０のサブフレーム番号１３のデータである。また、周波数は、８００ＭＨｚに対して＋１．２１ｐｐｍずれており、電力は５８．３２ｄＢｍ、ＥＶＭは０．６５％であることを示している。
【００４７】
解析結果リストデータ５２は、波形データ５１の時刻情報と対応した時刻情報を有しているので、スペクトラムアナライザ１０は、時刻情報に基づいて、解析対象のデータのデータ長が比較的長い場合でも、ユーザが所望するデータを容易に特定することができる。
【００４８】
なお、図３においては、波形データ記憶部３２に記憶されたＬＴＥの波形データ５１と、そのＬＴＥの波形データ５１に関する解析結果リストデータ５２とを示したが、本発明はこれに限定されず、例えば、２つの無線通信方式による波形データと、それらに関する２つの解析結果リストデータとを同時に表示部４２に表示させる構成としてもよい。また、波形データを表示せず、解析結果リストデータのみを表示部４２に表示させる構成としてもよい。
【００４９】
図４は、波形データ５１及び解析結果リストデータ５２を示している。解析結果リストデータ５２において、ユーザが操作部１１を操作することにより、ＥＶＭが比較的大きな値である１．８５のリストデータＮｏ．７が解析結果リストデータ５２から選択された状態の例である。この場合、リストデータ生成部３４は、時刻情報に基づいて、該当するデータの位置５３を波形データ５１と対応させて表示部４２に表示させる構成となっている。
【００５０】
この構成により、スペクトラムアナライザ１０は、ユーザが所望するデータの位置を解析結果リストデータ５２から選択させることにより、時刻情報に基づいて、波形データ５１上で該当するデータの位置５３を容易に特定することができ、データの位置５３の周辺５４（破線部）をより詳細に再度解析させることができる。その結果、スペクトラムアナライザ１０は、より詳細な解析結果を提供することができ、例えば、ＥＶＭ劣化の原因究明を効率的に進めることに資することができる。
【００５１】
図５は、波形データ５５及び解析結果リストデータ５６を示している。解析結果リストデータ５６は、ユーザが操作部１１を操作することにより、ＥＶＭ＞０．７となるリストデータの検索結果の一例である。この場合、リストデータ生成部３４は、ＥＶＭ＞０．７に該当するデータの位置を、時刻情報に基づいて、波形データ５５と対応させて表示部４２に表示させる構成となっている。
【００５２】
この構成により、スペクトラムアナライザ１０は、ユーザが所望する検索条件で検索した結果を波形データ５５と解析結果リストデータ５６との間で対応させ、所望するデータの位置を容易に特定することができ、検索して得られたデータの位置の周辺をより詳細に再度解析させることにより、例えば、ＥＶＭ劣化の原因究明を効率的に進めることに資することができる。
【００５３】
図６は、波形データ５７及び５８と、解析結果リストデータ５９とを示している。解析結果リストデータ５９は、リストデータＮｏ．７を含む。これは、スペクトラムアナライザ１０が、ＥＶＭ＝１．８５を示すリストデータに対応する波形データ５７のデータの位置を表示させた場合の一例である。図示の例では、解析結果リストデータ５９が示すＬＴＥでの通信の他に、波形データ５８による通信が時刻ｔ１からｔ２まで行われていたことが示されている。波形データ５８による通信の一例としては、近距離無線通信システムでの通信が挙げられる。この場合には、スペクトラムアナライザ１０は、ＥＶＭ＝１．８５となったデータの位置を容易に特定することができ、ＥＶＭ＝１．８５となった原因として、近距離無線通信システムでの通信が影響していることをユーザに示唆、提示することができる。
【００５４】
次に、本実施形態におけるスペクトラムアナライザ１０の動作について図７を用いて説明する。
【００５５】
ＲＦ処理部２０は、入力した無線周波数のアナログ信号を所定の周波数に周波数変換する（ステップＳ１１）。詳細には、掃引制御部２３は、局部発振器２２に対して、操作部１１をユーザが操作することによって指定された基準周波数、掃引幅、取得サンプル数等に応じて局部発振信号の周波数を所定ステップで掃引させる。局部発振器２２は、指定された周波数帯域で掃引可能な局部発振周波数を有する局部発振信号を発振し、その局部発振信号を信号混合器２１に出力する。信号混合器２１は、入力する被測定信号と局部発振器２２からの局部発振信号とを混合し、フィルタ２４に出力する。
【００５６】
ＡＤＣ３１は、ステップＳ１１において周波数変換されたアナログ信号をサンプリングすることによりデジタル値のサンプリングデータである波形データに変換する（ステップＳ１２）。この波形データは、波形データ記憶部３２に記憶される。
【００５７】
信号解析部３３は、ステップＳ１２において変換されたサンプリングデータを解析する（ステップＳ１３）。
【００５８】
リストデータ生成部３４は、ステップＳ１３において解析された解析結果のデータに基づいてリスト形式のデータである解析結果リストデータを生成する（ステップＳ１４）。例えば、リストデータ生成部３４は、リストデータ５２（図３参照）に示したように、無線通信方式がＬＴＥであれば、各フレームのサブフレームごとに、時刻情報とともに解析結果のデータをリストアップして解析結果リストデータを生成する。生成された解析結果リストデータは、表示装置４０の表示制御部４１に出力される。
【００５９】
表示部４２は、表示制御部４１による表示制御に従って、波形データ記憶部３２に記憶された波形データと、リストデータ生成部３４によって生成された解析結果リストデータとを画面に表示する（ステップＳ１５）。
【００６０】
画面に表示された解析結果リストデータに基づき、ユーザが操作部１１を操作することによって入力した解析条件により、信号解析部３３は、任意の信号解析処理が実行される（ステップＳ１６）。例えば、図４に示したように、ＥＶＭが比較的大きな値であるリストデータＮｏ．７が選択された場合には、制御部１２は、時刻情報に基づいて、このリストデータＮｏ．７に対応するデータの位置５３を及びその周辺５４の波形データを信号解析部３３により詳細に解析させることができる。
【００６１】
以上のように、本実施形態におけるスペクトラムアナライザ１０は、時刻情報を含むリスト形式のデータである解析結果リストデータを生成するので、時刻情報により波形データ（解析対象のデータ）と解析結果リストデータとを関連付けることができる。
【００６２】
したがって、本実施形態におけるスペクトラムアナライザ１０は、解析対象のデータのデータ長が比較的長い場合でも、ユーザが所望するデータを容易に特定することができる。
【産業上の利用可能性】
【００６３】
以上のように、本発明に係る信号解析装置及び信号解析方法は、解析対象のデータのデータ長が比較的長い場合でも、ユーザが所望するデータを容易に特定することができるという効果を有し、無線周波数の信号を解析する信号解析装置及び信号解析方法として有用である。
【符号の説明】
【００６４】
１０  スペクトラムアナライザ（信号解析装置）
２０  ＲＦ処理部（周波数変換手段）
３１  ＡＤＣ（アナログデジタル変換手段）
３３  信号解析部（サンプリングデータ解析手段）
３４  リストデータ生成部（リスト形式データ生成手段）
３４ａ  検索部（データ検索手段）
４０  表示装置（検索結果表示手段）
５１、５５、５７、５８  波形データ（デジタル値のサンプリングデータ）
５２、５６、５９  解析結果リストデータ（リスト形式のデータ）
【図１】
2018004480.tif 000003
【図２】
2018004480.tif 000004
【図３】
2018004480.tif 000005
【図４】
2018004480.tif 000006
【図５】
2018004480.tif 000007
【図６】
2018004480.tif 000008
【図７】
2018004480.tif 000009